(57)【要約】【課題】画像を好適に提供する。【解決手段】表示媒体２２の視認範囲３１を検出し、検出した視認範囲３１内に画像データの有効表示範囲内の画像が全て含まれるように表示データを生成し、表示データの画像を視認範囲３１内に表示する。従って、表示媒体２２の視認範囲３１に画像を好適に提供することができる。【選択図】        図１
2004163568.tif 000002
【特許請求の範囲】
【請求項１】
予め定めた表示領域に電磁気的な書き込み及び消去によって画像を表示可能であると共に、少なくとも一部を外部から視認可能に形成されるシート状の表示手段と、
前記表示手段の予め定めた表示領域の内の、前記視認可能な視認範囲を検出する検出手段と、
前記検出手段の検出結果に基づいて、有効表示範囲が予め設定され、かつ予め記憶した画像データから、前記画像データの前記有効表示範囲による画像が前記視認範囲内に全て含まれるように表示データを生成し、生成した表示データによる画像が前記視認範囲内に表示されるように前記表示手段を制御する制御手段と、
を備えることを特徴とする情報提供装置。
【請求項２】
前記有効表示範囲は、前記画像データによる画像の少なくとも一部の画像範囲であることを特徴とする請求項１に記載の情報提供装置。
【請求項３】
前記表示手段の一方から前記視認範囲が出現するように前記表示手段をロール状に収納する収納手段を更に備えたことを特徴とする請求項１または請求項２に記載の情報提供装置。
【請求項４】
前記制御手段は、前記画像データを記憶する記憶手段を備えたことを特徴とする請求項１乃至請求項３の何れか１項に記載の情報提供装置。
【請求項５】
前記記憶手段を複数備え、該記憶手段を指定する指示手段を更に備え、前記制御手段は、前記指示手段により指定された記憶手段から前記表示データを生成することを特徴とする請求項４に記載の情報提供装置。
【発明の詳細な説明】
【０００１】
【発明の属する技術分野】
本発明は、情報提供装置に係り、特に、画像を提供するシート状の情報提供装置に関する。
【０００２】
【従来の技術】
従来、情報提供装置としては、文字や写真などの画像が提示された紙や布などのシートを、ロール状に巻き取って収納するロール式の情報提供装置が知られている。
【０００３】
このような情報提供装置によれば、シートが全て引き出されることによって、シートに提示された画像がユーザに対して視認可能となり、画像を提供することができる。
【０００４】
このような情報提供装置において、異なる画像を提示するために、各々異なる画像が提示された複数（少なくとも２組）のシートを、ロール状に収納する技術が知られている（例えば、特許文献１参照）。
【０００５】
この技術によれば、ユーザは、収納された複数のシートの中から、適宜所望の画像が提示されたシートを選択して引き出すことによって、簡単に提供する画像を変更することができる。
【０００６】
【特許文献１】
実開平８−９４２２号公報  （第１頁、図１）
【０００７】
【発明が解決しようとする課題】
しかしながら、上記従来技術では、シートの一部を引き出した状態で固定すると、ユーザの視認範囲に、提示するべき画像の一部のみしか提供されず、提示された画像に欠落が生じる。このため、提示するべき画像の全てをユーザに視認可能に提供するには、画像が提示された範囲の全てがユーザに対して視認可能となるように、シートの引出し量を調整する必要があり、煩雑な作業が必要であった。
【０００８】
本発明は、上記問題点を解決するためになされたものであり、画像を好適に提供することができる情報提供装置を提供することを目的とする。
【０００９】
【課題を解決するための手段】
上記目的を達成するために本発明の情報提供装置は、予め定めた表示領域に電磁気的な書き込み及び消去によって画像を表示可能であると共に、少なくとも一部を外部から視認可能に形成されるシート状の表示手段と、前記表示手段の予め定めた表示領域の内の、前記視認可能な視認範囲を検出する検出手段と、前記検出手段の検出結果に基づいて、有効表示範囲が予め設定され、かつ予め記憶した画像データから、前記画像データの前記有効表示範囲による画像が前記視認範囲内に全て含まれるように表示データを生成し、生成した表示データによる画像が前記視認範囲内に表示されるように前記表示手段を制御する制御手段と、を備えることを特徴としている。
【００１０】
本発明の情報提供装置は、シート状の表示手段を備えており、予め定めた表示領域に、電磁気的な書込み及び消去によって画像を表示する。表示手段は、例えば、電子ペーパーで構成される。表示手段の表示領域の少なくとも一部は、ユーザに対して視認可能に形成される。表示領域の視認可能に形成された視認範囲は、検出手段によって検出される。検出手段によって視認範囲が検出されると、制御手段は、検出された視認範囲に基づいて、予め記憶した画像データから表示データを生成する。画像データには、画像データの画像の表示すべき有効表示範囲が予め設定されている。有効表示範囲は、視認領域に常に表示されるべく設定された画像データの有効な画像領域である。表示データは、画像データの有効表示範囲内の画像が表示媒体の視認範囲内に全て含まれるように生成される。表示データは、制御手段によって、表示手段の視認範囲内に表示される。
【００１１】
従って、画像データから、表示媒体の視認範囲内に、画像データの有効表示範囲が全て含まれるような表示データを生成し、表示媒体の視認範囲内に表示するので、画像を好適に提供することができる。
【００１２】
前記有効表示範囲は、前記画像データによる画像の少なくとも一部の画像範囲とすることができる。画像データの画像の、特に表示するべき一部の範囲を、表示手段の視認範囲内に表示することができるので、有効表示範囲を好適に表示することができる。
【００１３】
また、本発明の情報提供装置は、前記表示手段の一方から前記視認範囲が出現するように前記表示手段をロール状に収納する収納手段を更に備えることができる。シート状の表示手段をロール状に巻き取って収納するので、表示手段を様々な場所に設置可能に小さくまとめて収納することができる。また、収納した表示手段を一方から引き出すと、視認範囲が出現するため、引出し量に応じて、容易に表示手段の視認範囲を調節することができる。
【００１４】
前記制御手段は、前記画像データを記憶する記憶手段を備えることができる。記憶手段に記憶された画像データから生成した表示データの画像を、表示手段の表示領域に表示することができるので、必要に応じて適宜、記憶手段から画像データを読取って表示することができる。
【００１５】
本発明の情報提供装置は、前記記憶手段を複数備え、該記憶手段を指定する指示手段を更に備え、前記制御手段は、前記指示手段により指定された記憶手段から前記表示データを生成することができる。
【００１６】
指示手段は、画像データを記憶した複数の記憶手段の中から、画像データを読取る記憶手段を指定する。制御手段は、指示手段によって指定された記憶手段から画像データを読取って表示データを生成するので、表示媒体に表示する画像を変更することができ、様々な画像を提供することができる。
【００１７】
【発明の実施の形態】
本発明の情報提供装置に係る一の実施の形態を図面に基づき説明する。
【００１８】
図１には、本実施の形態に係る情報提供装置１０の正面図を示した。本実施の形態では、情報提供装置１０は、内部に後述するシート状の表示媒体２２を収納可能な、略円筒状の箱体１２で構成されている。箱体１２の背面は、箱体１２を取り付けるための図示を省略した支板を介して壁面１４に取り付けられている。
【００１９】
箱体１２の正面には、スイッチ１９、及びカードスロット２０が設けられている。本実施の形態では、スイッチ１９として、電源スイッチ１６、メディア切替スイッチ１８を含んだ構成を採用している。電源スイッチ１６は、ユーザが情報提供装置１０の各部への電源電力の供給／供給停止の切り替えを行うときに操作するためのものである。メディア切替スイッチ１８は、ユーザが、表示媒体２２に表示する表示画像を変更するときに操作するためのものである。このメディア切り替えスイッチ１８の操作によって、画像データが記憶されているメディアの切り替えが行われる。本実施の形態では、後述する表示媒体に表示するために予め用意された画像データを記憶した外部メモリと画像データを記憶したメモリとの切り替えがなされる。メディア切替スイッチ１８は、ユーザの操作によって切り替えられると、切り替えられた状態で保持される。カードスロット２０は、図示を省略した外部メモリを装着するためのものである。
【００２０】
箱体１２の底面には、開口部２１が設けられている。開口部２１は、箱体１２の内部に収納された表示媒体２２を、箱体１２の外部へ引き出す、または引き出された表示媒体２２を箱体１２の内部へ収納するためのものである。
【００２１】
箱体１２の内部には、略円筒状の支持軸２４が設けられている。支持軸２４は、表示媒体２２を外周に沿って巻き付けるためのものであり、軸中心に回転可能に設けられている。支持軸２４には、ロール検出部２６、図示を省略したストッパ、及び図示を省略したコイルバネが設けられている。ロール検出部２６は、支持軸２４の回転数を検出するためのものである。ロール検出部２６は、表示媒体２２が支持軸２４の回転に伴って巻き取られ、表示媒体２２の後述する視認範囲が、ユーザに対して視認不可能となるように箱体１２内に収納された点を基点（回転数０）とした、支持軸２４の回転数を検出するためのものである。
【００２２】
図示を省略したストッパは、箱体１２の外部に引き出された表示媒体２２をユーザの任意の引き出し量で固定するためのものである。図示を省略したコイルバネは、支持軸２４を巻き戻し、箱体１２から引き出された表示媒体２２を箱体１２内に巻き取って収納するためのものである。このため、表示媒体２２は、ユーザによって、箱体１２の開口部２２から任意の量引き出したり、箱体１２の内部に巻き取ったりすることができるようになっている。また、支持軸２４には、表示媒体２２の上端が固着されている。表示媒体２２の下端には、表示媒体２２をユーザが引き出すときに引っ張るための引き出し紐２８が設けられている。
【００２３】
なお、上記表示媒体２２が本発明の表示手段に相当する。
【００２４】
図２には、表示媒体２２の断面図の一例を示した。表示媒体２２は、シート状に形成され、かつ表示した画像を電磁気的に書き込み及び消去が可能な、いわゆる電子ペーパーで代表される表示媒体である。表示媒体２２上に表示された表示画像は、視認することができる。電子ペーパーの技術としては、粒子の回転、電気泳動、サーマルリライタブル、及び液晶などの技術を用いたものが多数知られている。本実施の形態では表示媒体２２として、本発明を達成するために電気泳動を使用した技術を採用する。
【００２５】
一例としては、図２に示す技術が知られている。この場合、表示媒体２２の断面拡大図３６に示すように、表示媒体２２は、基体シート３８と基体シート４０とに挟まれた一対の透明な電極３２と透明な電極３４と、一対の電極３２と電極３４とに挟まれた多数のカプセル４２を含有した含有層４５とが、積層された構成となっている。カプセル４２の内部は、液体４４で満たされており、微細な複数の泳動粒子４６が移動可能に分散されている。電極３２及び電極３４は、図３に示す表示媒体２２の電極の配置を正面から見た模式図に示す、電極３２群と電極３４群とをＸ方向とＹ方向とに交差するように格子状に配置されている。
【００２６】
このような表示媒体２２によれば、これら格子状に配置された電極３２群及び電極３４群に、図示を省略したケーブル介して電界を印加すると、カプセル４２内の泳動粒子４６が移動する。例えば、図２（Ａ）に示す、視認側Ｘに液体４４の色（例えば白）、及び図２（Ｂ）に示す泳動粒子４６の色（例えば黒）が表示される。これによって、表示媒体２２に表示する表示データの画像を、視認範囲３１内に表示することが出来る。なお、本実施の形態では、カプセル４２の泳動粒子４６と液体４４との比重が等しくなるように予め調整されているものとする。このため、表示媒体２２に表示された画像は、次回電界が印加されるまで保持されるメモリ性を有するものとして説明する。
【００２７】
視認範囲３１は、表示媒体２２のユーザに対して視認可能な領域であって、表示媒体２２が箱体１２から引き出され、かつ電極３２群及び電極３４群が配置された領域として示される。視認範囲３１は、表示媒体２２が箱体１２から引き出される引き出し量に応じて変化する。例えば、表示媒体２２が巻き取られ、表示媒体２２の各々電極群が配置された領域が全て箱体１２内に収納されると、視認範囲３１は、表示媒体２２上に存在しなくなる。また、表示媒体２２の箱体１２からの引き出しに伴って、視認範囲３１は広くなる。
【００２８】
図４には、本実施の形態に係る情報提供装置１０の主要構成をブロック図として示した。情報提供装置１０は、ＣＰＵ５０、ＲＯＭ５２、及びＲＡＭ５４がデータやコマンドの授受が可能なようにバス５６で接続されたマイクロコンピュータを含んで構成される。また、バス５６には、入出力ポート（以下Ｉ／Ｏという）５８が接続されている。このＩ／Ｏ５８には、メモリ６０、読取部６２、スイッチ１９、表示媒体２２、及びロール検出部２６が接続されている。
【００２９】
メモリ６０は、表示媒体２２に画像を表示するために予め用意された画像データを予め記憶するためのものである。読取部６２は、カードスロット２０に装着された外部メディア２１に記憶された画像データを読み取るためのものである。外部メモリの一例には、ＩＣカード、ＭＯ、及びＣＤ―Ｒなどの記憶媒体がある。本実施の形態では、画像データはメモリ６０、及び外部メモリ２１にそれぞれ１つのみ記憶されているものとして説明する。画像データには、画像データの画像の、必ず表示媒体２２の視認範囲３１内に表示する有効表示範囲を示す情報が含まれている。
【００３０】
次に、本実施の形態に係る情報提供装置１０の作用を説明する。
【００３１】
図５には、ＣＰＵ３０で実行される処理ルーチンを示した。電源スイッチ１４により情報提供装置１０に電源が投入されると、ステップ１００へ進み、表示媒体２２が箱体１２から引き出されるまで否定判断を繰り返し、肯定されるとステップ１０２へ進む。ステップ１００の判断は、ロール検出部２６によって入力されるデータを判別することで可能である。例えば、ユーザが取出し紐２８を挟持して、表示媒体２２を下方（図１の矢印２９方向）へ付勢すると、それに伴って表示媒体２２が図１の下方（図１の矢印２９方向）へ引き出される。表示媒体２２が引き出されると、表示媒体２２の表示部分が出現し、ユーザの任意の位置で図示を省略したストッパによって固定される。表示媒体２２が固定されると、この表示媒体２２の引き出しに伴って回転した支持軸２４の回転数がロール検出部２６によって検出されて、回転数を表すデータが、出力される。指示軸２４の回転数を表すデータは、支持軸２４の回転角度から得られたものである。この出力された回転数を表すデータが０（基点）ではないことを判断することによって、表示媒体２２が引き出されたか否かを判断することが可能である。出力された支持軸２４の回転数を表すデータは、ＲＡＭ５４に記憶される。
【００３２】
次にステップ１０２では、画像データの変更指示がなされたか否かを判断する。ステップ１０２の判断は、メディア切り替えスイッチ１８の切り替え状態が、外部メディア２１読み取りに切り替えられているか否かを判断することによって可能である。
【００３３】
ステップ１０２で否定されると、ステップ１０４へ進み、メモリ６０に格納されている表示媒体２２に表示するために用意された画像データを読み取ってステップ１０８へ進む。ステップ１０２で肯定された場合は、外部メディア２１に格納された画像データを読取部６２を介して読み取り、ステップ１０８へ進む。
【００３４】
次にステップ１０８では、表示媒体２２が箱体１２から引き出された引き出し量を検出する。この引き出し量は、支持軸２４の回転数を表すデータで示される。支持軸２４の回転数を表すデータは、ＲＡＭ５４に記憶された支持軸２４の回転数を表すデータを読み取ることによって得ることができる。
【００３５】
次にステップ１１０では、上記ステップ１０８で検出した引出し量に基づいて、引出し量の視認範囲３１内に表示可能な表示データを生成する。表示データを生成するために、まず、引出し量の視認範囲３１を把握する。この視認範囲３１の把握は、表示媒体２２のユーザに対して視認可能な視認範囲３１を示すデータを得るものであって、例えば、視認範囲３１を表す表示サイズやアドレス情報等のデータを得るものである。この視認範囲３１を示すデータは、例えば、支持軸２４の回転数を表すデータから視認範囲３１を表すデータを求めるためのプログラムを予めメモリ６０に記憶し、このプログラムを読み取り、プログラムに従って視認範囲３１を示すデータを算出することによって得られる。
【００３６】
次に、把握した視認範囲３１に基づいて、上記ステップ１０４またはステップ１０６で読み取った画像データから、画像データに含まれる有効表示範囲情報を読取り、有効表示範囲内の画像が視認範囲３１内に全て含まれるように拡大、縮小、変形などの処理を行う。これによって、視認範囲３１内に、画像データの有効表示範囲内の画像がすべて含まれるように表示可能な、表示データが生成される。
【００３７】
次にステップ１１２では、上記ステップ１１０で生成された表示データの表示画像を、表示媒体２２の視認範囲３１へ表示する。例えば、図６に示す、画像データの画像４２の有効表示範囲４０内の画像が、表示媒体２２の視認範囲４４内含まれるように変形されて、画像（Ａ）が表示される。なお、有効表示範囲４０は、視認範囲４４の少なくとも一部であって、視認範囲４４と同一の範囲であってもよい。
【００３８】
次にステップ１１４では、表示媒体２２の引き出し量の変更がなされたか否かを判断し、否定されるとステップ１１２へ戻り、肯定されるとステップ１１６へ進む。ステップ１１４の判断は、ロール検出部２６によるデータの入力によって判別することが可能である。例えば、上記ステップ１００と同様に、ユーザが取出し紐２８を挟持して、表示媒体２２を下方（図１の矢印２９方向）へ付勢すると、それに伴って表示媒体２２が図１の下方（図１の矢印２９方向）へ引き出される。表示媒体２２が引き出されると、表示媒体２２の表示部分が出現し、ユーザの任意の位置で固定される。表示媒体２２が固定されると、この表示媒体２２の引き出しに伴って回転した支持軸２４の回転数を表すデータが、ロール検出部２６によって出力されるようにする。
【００３９】
この支持軸２４の回転数を表すデータを受信したか否かを判断することによって、引き出し量の変更がなされたか否かを判断することができる。ステップ１１４で受信した支持軸２４の回転数を表すデータは、ＲＡＭ５４に記憶され、上記ステップ１００でＲＡＭ５４に記憶した回転数を表すデータが更新される。
【００４０】
なお、ユーザの操作によって、表示媒体２２が箱体１２の内側へ巻き取られた場合も同様に、支持軸２４の回転数を表すデータがロール検出部２６によって出力される。
【００４１】
次にステップ１１６では、表示媒体２２が支持軸２４によって巻き取られ、視認範囲３１の全てが箱体１２内に収納されたか否かを判断し、肯定されるとＲＡＭ５４に記憶した回転数を表すデータを消去して、本ルーチンを終了する。ステップ１１６の判断は、上記ステップ１１４でＲＡＭ５４に記憶された支持軸２４の回転数を表すデータが、０（基点）であるか否かを判断することによって可能である。
【００４２】
上記ステップ１１６で否定され、表示媒体２２の引き出し量がユーザの操作によって変更され、かつ視認範囲３１が存在する場合、ステップ１０２へ戻り、再度上記ステップ１０２乃至ステップ１１２の処理が行われる。このため、視認範囲３１の変更に応じた表示画像を視認範囲３１内に表示することができる。上記ステップ１１６で否定された場合、例えば、図６に示す、表示媒体２２の視認範囲４４に表示された画像（Ａ）が視認範囲４４の変更によって変形され、有効範囲４０が含まれる画像（Ｂ）が視認範囲４６に表示される。なお、有効表示範囲４０は、視認範囲４６の少なくとも一部であって、視認範囲４６と同一の範囲であってもよい。
【００４３】
なお、上記ステップ１０８の処理が本発明の情報提供装置の検出手段の機能に相当し、ステップ１１０乃至ステップ１１２の処理が制御手段の機能に相当する。また、上記ステップ１１４の処理が本発明の情報提供装置の検知手段に相当し、ステップ１０２の処理が指示手段の機能に相当する。
【００４４】
このように、表示媒体２２の箱体１２からの引き出し量に応じて、表示媒体２２の視認範囲３１内に表示データの表示画像が全て含まれるように表示データを生成し、表示媒体２２の視認範囲３１に表示することができるので、好適に表示データの表示画像を提供するこができる。
【００４５】
なお、本発明は上記の実施の形態に限られるものではない。例えば、本実施の形態では、表示媒体２２の引出し量の変更がなされるまで、表示画像の表示を続けるものとして説明したが、表示画像を表示媒体２２に表示した後に、更にメディア切り替えスイッチ１８の切り替え状態変更がなされたか否かを判断するようにしてもよい。この場合、切り替えスイッチ１８の切り替え状態の変更がなされていない場合、次のステップ１１４で引出し量の変更を判断し、切り替え状態の変更がなされた場合は、ステップ１０２へ戻り、再度表示データを読み取るようにすればよい。
【００４６】
【発明の効果】
以上説明したように、本発明の情報提供装置によれば、表示媒体の視認範囲の変更に応じて、画像データの有効表示範囲内の画像が全て視認範囲内に含まれるように表示データを生成し、表示データの画像を視認範囲内に表示することができるので、表示媒体の視認範囲の変更に応じた画像を好適に提供することができる、という効果が得られる。
【図面の簡単な説明】
【図１】本発明の実施の形態に係る情報提供装置の外観の正面図である。
【図２】本発明の実施の形態に係る表示媒体の断面図の一例を示したものである。
【図３】本発明の実施の形態に係る表示媒体の電極の配置を示す模式図である。
【図４】本発明の実施の形態に係る情報提供装置の主要構成を示すブロック図である。
【図５】本発明の実施の形態に係る情報提供装置の処理の流れを示すフローチャートである。
【図６】本発明の実施の形態に係る画像データの画像と画像データから生成された表示データの画像の一例を示したイメージ図でる。
【符号の説明】
１０  情報提供装置
２２  表示媒体
【図１】
2004163568.tif 000003
【図２】
2004163568.tif 000004
【図３】
2004163568.tif 000005
【図４】
2004163568.tif 000006
【図５】
2004163568.tif 000007
【図６】
2004163568.tif 000008